(57)【要約】【課題】より確実に、かつ、より簡易で安価な方法によって、容器内方から蓋体に作用する引き剥がし力に対しては、安定した高い剥離強度を確保するとともに、容器外方から蓋体を剥離開封する際には、容易に蓋体を剥離できるようにした易開封性容器を得る。【解決手段】開口部周辺にフランジ２ａが形成された容器本体２とヒートシール層を裏面に備えた蓋体３を前記フランジ２ａに対向させてヒートシールさせてなる昜開封容器において、蓋体３は開封用の摘み片３ａを前記フランジ２ａの外側に伸長させており、摘み片３ａの片側からフランジ２ａの上側に位置する容器開口部周辺のヒートシール部を周り、摘み片３ａの逆側まで一周するように蓋体３の表面に切り込み４を入れる。【選択図】図１
2013086843.tif 000002
【特許請求の範囲】
【請求項１】
開口部周辺にフランジが形成された容器本体と裏面に接合層を備えた蓋体とを有し、該蓋体の前記接合層を前記フランジに対向させて接合させてなる昜開封容器であって、
前記蓋体の一部は前記フランジの外側に伸長されて開封用の摘み片を形成しており、前記摘み片から前記フランジの上側に位置する前記容器開口部周辺を一周するように前記蓋体の表面に切り込みを入れたことを特徴とする易開封容器。
【請求項２】
前記蓋体の前記容器開口部周辺における切り込みの位置は前記容器開口部から１ｍｍ〜６ｍｍ外周側に寄った位置であることを特徴とした請求項１に記載の易開封容器。
【請求項３】
前記切り込みの前記摘み片から前記容器開口部周辺へのつなぎ部はＲ２ｍｍ以上の曲率を有することを特徴とした請求項１又は２に記載の易開封容器。
【請求項４】
前記蓋体の、開封したのちに前記容器本体の前記フランジ上に残る部分には、前記蓋体の製造又は前記容器本体の内部に収容されて販売される製品の販売を管理するために必要な情報を書き入れておくことを特徴とした請求項１乃至３のいずれか１項に記載の易開封容器。
【請求項５】
請求項１乃至４の何れか１項に記載の易開封容器の製造方法であって、
蓋体表面に設けられた前記切り込みはレーザ加工により形成されることを特徴とした易開封容器の製造方法。
【請求項６】
前記切り込みはＣＯ２パルスレーザによる加工によって形成されたミシン目であることを特徴とした請求項５に記載の易開封容器の製造方法。
【請求項７】
前記切り込みは容器本体と前記蓋体をヒートシールした後レーザ加工により形成されることを特徴とした請求項５又は６に記載の易開封容器の製造方法。
【発明の詳細な説明】
【技術分野】
【０００１】
本発明は容器本体と容器開口部周辺に設けられたフランジにヒートシールされた蓋体からなるいわゆる“イージーピール性”を付与された易開封容器において、容器内部からの剥がれには強いにもかかわらず、開封者が精神的負担無く開封できる容器、及びその製造方法に関する。
【背景技術】
【０００２】
近年の消費者の生活の質的向上と高齢化社会、バリアフリー、ＰＬ法施行などに伴い、利便性や安全性が求められ、自立性、密閉性があり、昜開封性を合せ持つセミリジッドなポーション容器が広く用いられている。
【０００３】
容器本体は低密度ポリスチレン樹脂等のプラスチックシートを凹状に成形し、開口部周辺上面にフランジ部を形成し、凹部に食品類などの内容物を置き、ヒートシール層を備えた蓋材をフランジ部にヒートシールして密閉された包装体を構成する方法である。尚、蓋材がヒートシールされた昜開封容器としては、容器本体がガラスやアルミ等の金属から作られたものもある。
【０００４】
このような容器は、開封して内容物を取り出す際に、蓋体が容易に開封できる易開封性が求められるとともに、内容物を密封収容した後の加熱殺菌処理や、輸送時の落下衝撃などによる内圧上昇により蓋体が剥がれてしまわないように、高い剥離強度が要求される。高い温度と圧力により、短時間にヒートシールするのが最も高い生産性を確保できるが、易開封性と密封性を両立させるのが難しい。生産現場では上記のような剥離条件を満足するためにヒートシールの温度と圧力と時間をロット毎にコントロールし、剥離強度を適度な範囲に入れる微妙な管理が必要とされている。
【０００５】
このため、容器内方から蓋体を引き剥がそうとする力に対しては高い剥離強度を示す一方、容器外方から蓋体を開封する際には、容易に蓋体を開封できるように構造的に対策した易開封性の容器が各種提案されている。
【０００６】
例えば、特許文献１では、フランジ部に内側から切り込みを入れることにより、容器内側から圧力がかかると切り込み部が持ち上がり、切り込み部と蓋体との剪断力に変換することで剥離強度を確保しつつ、蓋体の接着強度をコントロールすることにより昜開封性を確保しようとした容器が提案されている。
【０００７】
また、特許文献２では、容器本体を基材と基材から剥離可能な剥離層を有する複合材で構成し、剥離層のフランジ内側に切断線を設ける構成とし、フランジ全面が接合に使用できることで内圧に対する剥離強度を確保しつつ、開封時は剥離層が基材より層間剥離し、切断線で分離することで昜開封性を確保しようとした容器が提案されている。
また、特許文献３では、突きにより破壊する素面を設けた樹脂によるフィルムを含む積層体からなる蓋体で構成し、開封時は素面部を突き破ることで昜開封性を確保した容器が提案されている。
【先行技術文献】
【特許文献】
【０００８】
【特許文献１】特開２００６−２０６０６１号公報
【特許文献２】特開２００４−３４５６８６号公報
【特許文献３】特開平９−１９３３０４号公報
【発明の概要】
【発明が解決しようとする課題】
【０００９】
しかしながら特許文献１では、フランジ部内側に切り込みを入れるのに容器又は切刃を動かす必要があり、加工時間がかかり生産性が低くなってしまう。レーザでの加工も平面的な加工ではないため容器を回転する必要があり、加工に時間がかかる。いずれの加工にしろ、フランジ部内側の形状が異なるとそれに合わせた大掛かりな設備変更が必要であり、生産切り替えが容易ではないという欠点があった。
【００１０】
特許文献２では、容器本体に複合材を使わねばならず製品コストがあがってしまう。また、基材と剥離材の剥離強度を管理にしなければならないという生産上の煩雑さが増えるという欠点があった。
【００１１】
特許文献３では、蓋体が積層体で素面を設ける必要があり製品コストがあがってしまうこと、突き刺して開封するために食品類には使えず内容物が限定されてしまうこと、などの欠点があった。
【００１２】
本発明は、以上のような従来の技術が有する問題を解決するために提案されたものであり、より確実に、かつ、より簡易で安価な方法によって、容器内方から蓋体に作用する引き剥がし力に対しては、高い剥離強度を確保するとともに、容器外方から蓋体を開封する際には、容易に蓋体を開封できるようにした易開封性容器を得ることを目的とする。
【課題を解決するための手段】
【００１３】
かかる目的を達成するために、請求項１に記載の発明は、開口部周辺にフランジが形成された容器本体と裏面に接合層を備えた蓋体とを有し、該蓋体の前記接合層を前記フランジに対向させて接合させてなる昜開封容器であって、前記蓋体の一部は前記フランジの外側に伸長されて開封用の摘み片を形成しており、前記摘み片から前記フランジの上側に位置する前記容器開口部周辺を一周するように前記蓋体の表面に切り込みを入れたことを主な特徴とする。
【００１４】
請求項２に記載の発明は、請求項１に記載の構成に加え、前記蓋体の開口部周辺における切り込みの位置は、前記容器開口部から１ｍｍ〜６ｍｍ外周側に寄った位置であることを特徴とする。
【００１５】
請求項３に記載の発明は、請求項１又は２に記載の構成に加え、前記切り込みの前記摘み片から前記容器開口部周辺へのつなぎの部分はＲ２ｍｍ以上の曲率を有することを特徴とする。
【００１６】
請求項４に記載の発明は、請求項１乃至３の何れか一つに加え、前記蓋体の、開封したのちに前記容器本体の前記フランジ上に残る部分には、前記蓋体の製造又は前記容器本体の内部に収容されて販売される製品の販売を管理するために必要な情報を書き入れておくことを特徴とする。
【００１７】
請求項５に記載の発明は、請求項１乃至４の何れか一つに記載の易開封性容器の製造方法であって、蓋体表面に設けられた前記切り込みはレーザにより形成されることを特徴とする。
【００１８】
請求項６に記載の発明は、請求項５に記載の工程に加え、前記切り込みはＣＯ２パルスレーザによる加工によって形成されたミシン目であることを特徴とする。
【００１９】
請求項７に記載の発明は、請求項５又は６に記載の工程に加え、前記切り込みは容器本体と蓋体をヒートシールした後レーザ加工により形成されることを特徴とする。
【発明の効果】
【００２０】
請求項１に記載の発明によれば、摘み片を捲っていくと蓋体は切り込みに沿って簡単に引き裂かれていく。また、ヒートシール部の内、切り込みと容器開口部で囲まれた小面積の部分が徐々に捲られていくためほとんど負担なく開封することができる。容器内側からの内圧に対しては蓋体の切り込みは引き裂かれ方向ではないので破れにくく、そのためフランジ全体のヒートシール部で支えられるので十分な剥離強度を確保できる。これにより、確実に、かつ、より簡易で安価な方法によって、容器内方から蓋体に作用する引き剥がし力に対しては高い剥離強度を確保するとともに、容器外方から蓋体を開封する際には、容易に蓋体を開封できるようにした易開封性容器とその製造方法を得ることができる。
【００２１】
請求項２に記載の発明によれば、容器気密性、昜開封性は容器開口部からの切り込み位置までの幅で決まり、当該構成とすることにより、良好な容器機密性と易開封性を得ることができる。
【００２２】
請求項３に記載の発明によれば、摘み片から容器開口部周辺へのつなぎに任意の値以上の曲率がないと開封の仕方によっては摘み片のみが千切れてしまうことがあるが、当該構成とすることにより、開封時に摘み片のみが千切れてしまう事態を防止できる。
【００２３】
請求項４に記載の発明によれば、ポーション容器の場合、蓋体に必要な情報が印刷されているため、開封して蓋体を外してしまうと後から確認することができなくなるが、本発明では蓋体の切り込みよりも外側の部分がフランジに接合された状態のまま残るので、そこに必要な情報を記載しておけば、開封後も情報を確認することができる。これにより、開封した後も必要な情報を見ることができる易開封性容器を提供できる。
【００２４】
請求項５に記載の発明によれば、２枚のミラーの角度をモータで振り、レーザ光を２次元的に走査する機能を有するガルバノシステムでレーザ光を走査しながら蓋体面に照射するようにしておけば蓋体への加工は平面上の加工なので、容器の形状が変わってもその容器に合せたプログラムを選択するだけで段取り替えができる。ガルバノシステムは高速走査が可能なので高い生産性が確保できる。
【００２５】
請求項６に記載の発明によれば、薄い素材である蓋体に一定の深さで溝状の切り込み線を入れるのはレーザの焦点位置や出力の安定性など条件管理が難しくミシン目の方が安定した加工ができる。ＣＯ２パルスレーザは紙材やプラスチックシートの加工に向いているだけでなく、切り込みに必要な出力を有するレーザ発振器の価格も安い。レーザ走査速度とパルス発振の周波数をコントロールするだけで蓋体の切り裂き性を決めるミシン目のピッチと長さを安定的に作製できる。
【００２６】
請求項７に記載の発明によれば、ヒートシールする前に蓋体に切り込みを加工しておくと容器と貼り合わせの際、ズレ等が生ずる可能性がある。貼り合わせ後、容器本体の外形基準でレーザを照射すれば容器と切り込み線のズレを心配する必要がなくなる。
【図面の簡単な説明】
【００２７】
【図１】図１は昜開封容器の蓋体に切り込み（ミシン目）を入れた本実施例の上面図である。
【図２】図２は図１の断面図である。
【図３】図３は図２の主要部（Ｐ部）拡大図である。
【図４】図４は図３のミシン目を切り溝にした時の主要部（P部）拡大図である。
【図５】図５は昜開封容器の蓋体に切れ込みを入れた本実施例の斜視図である。
【図６】図６は従来の昜開封容器の斜視図である。
【図７】図７は本発明を実現するための製造方法の１実施例前面図である。
【図８】図８は本発明を実現するための製造方法の１実施例側面図である。
【発明を実施するための形態】
【００２８】
以下、図１乃至図８にこの発明の実施の形態を示す。
【００２９】
この実施の形態においては、フランジ面に蓋体がヒートシールによって接合された昜開封容器において、蓋体の開封用摘み片の一端から本体容器開口部周辺のヒートシール部を周り、摘み片他端まで一周するように蓋体表面に切り込みを入れることで、密閉性が高く、開封が容易な上に、生産コストの安価な昜開閉容器が実現している。
【実施例１】
【００３０】
図１は、本発明の１実施例の上面図で、２は容器本体、３は蓋体である。蓋体３には本発明の「切り込み」であるミシン目４が設けられている。図２は図１の断面図で、１は昜開封容器である。容器本体２は低密度ポリスチレン樹脂等のプラスチックシートで出来ており、中心には内容物を入れる為の凹部２ｂと、上面開口部周辺には蓋体３をヒートシールにて接合させるためのフランジ２ａが形成されている。図３は図２の主要部（Ｐ部）拡大図である。図４は図３において切り込みを切り溝４’にした場合の図である。
【００３１】
蓋体３は基材として厚さ０．１ｍｍ程度の紙材やプラスチックシートからなり可撓性と密封性を有し、裏面側に容器本体２への「接合層」としてのヒートシール層を備えている。蓋体３は上面視においてフランジ２ａとほぼ同じ大きさである。蓋体３の一部（図１における右下の角部）は、フランジ２ａの外側に伸長されてフランジ２ａの外周に突出する摘み片３ａを有している。なお、この実施の形態において摘み片３ａは蓋体３の一の角部に一つ設けられているが、蓋体３の複数の角部にそれぞれ一つずつ形成されていてもよいし、辺部分に設けられていてもよい。
【００３２】
ミシン目４は摘み片３ａの片側から始まり、フランジ２ａの上側に位置する容器開口部周辺のシートシール部を一周し、摘み片３ａの逆側で終わっている。このような構成で摘み片３ａを捲ると、蓋体３は切り込みに沿って引き裂かれ、ヒートシール部の内、ミシン目４と容器開口部で囲まれた小面積の部分のみが徐々に捲られていくためほとんど負担なく開封することができる。別な切り込みの実施例である切り溝４’は図４の様にＶ字状かＵ字状などで一定の深さまで切り込まれており、ミシン目４と同様な効果が期待できる。
【００３３】
昜開封性と密閉性は容器開口部から切り込みまでの幅で決まる。近すぎると加工バラツキで容器開口部にミシン目４が来てしまい密閉性が損なわれてしまう。遠すぎると、昜開封性が無くなってしまう。実験的には容器開口部から１ｍｍ〜６ｍｍ外周側に寄った位置で良い結果が得られた。また、摘み片３ａから容器開口部へミシン目が連続する箇所である、切り込みのつなぎ部４ａは、なだらかなカーブを描いて連続する形状としてのＲ状になっていないと摘み片３ａを勢いよく引っ張るとつなぎ部でちぎれてしまう。実験的にはつなぎ部４ａのＲはＲ２以上が必要であった。
【００３４】
容器収納部２ｂからの内圧に関しては、切り込みにかかる力は切り裂かれ方向ではなく、ヒートシール部全体で受けられるので十分な強度が確保できる。このような構成では、ヒートシール剥離強度が高くなっても開封容易性は確保できるので、ヒートシール条件の幅が広がり、高温、高圧での高速ヒートシールも可能となり生産性が大幅に向上する。図５は本発明による昜開封容器の斜視図、図６は従来の昜開封容器の斜視図である。
【００３５】
蓋体３の、開封したのちに容器本体２のフランジ上２ａに残る部分（即ち、図１において、蓋体３の、フランジ２ａ上に位置するミシン目４よりも外周側の部分）には、蓋体３の製造又は容器本体２の内部に収容されて販売される製品の販売を管理するために必要な情報（例えば蓋体３の製造番号や製造工場名や製造年月日、容器本体２に収容される物品の製造年月日や製造工場や賞味期限等）を書き入れておく。たとえば、この実施の形態の易開封性容器がポーション容器の場合、蓋体３に必要な情報が印刷されているため、開封して蓋体３を外してしまうと後から確認することができなくなるが、この実施の形態では蓋体３の切り込みよりも外側の部分がフランジ２ａに接合された状態のまま残るので、そこに必要な情報を記載しておけば、開封後も情報を確認することができる。これにより、開封した後も必要な情報を見ることができる易開封性容器を提供できる。なお、「必要な情報」は、上述したもの以外のどのような情報であってもよい。
【００３６】
蓋体３への切り込みは機械加工でも可能だがレーザによる製造方法の方が生産性、自由度が高い。レーザ装置では２枚のミラーの角度をモータで振り、レーザ光を２次元的に走査する機能を有するガルバノシステムが広く使われているがこのシステムを使うことで1000mm/秒以上の高速加工も可能である。生産ロットの切り替えで容器の形状が変わってもプログラムの変更だけで簡単に対応できる。
【００３７】
紙材やプラスチックシートからなる蓋材３への切り込みはＣＯ２パルスレーザによる加工で形成されるミシン目４が望ましい。切り溝４’は厚さ０．１ｍｍ程度の素材に一定の深さに加工する必要があり、レーザ出力の安定性などを考えると実用化は難しく、ミシン目４の方が生産に適している。ＣＯ２レーザは蓋材に対する加工性が良いし、切り込みを入れるのに必要な出力を有するレーザ発振器の価格が他のレーザに比べて安い。パルスレーザならレーザ走査速度とパルス発振の周波数をコントロールするだけで蓋体の切り裂き性を決めるミシン目４のピッチと長さを自由に変更できる。
【００３８】
図７は本発明を実現するための１実施例である生産ラインの前面図で、図８はその側面図である。８はコンベアでその上に昜開封容器１が搬送されている。昜開封容器１は前工程で図示していないヒートシール装置により蓋材３がヒートシールされている。７はコンベアのガイドで容器本体２の外形で位置決めしている。５はレーザ装置で図示していないガルバノシステムにより、レーザ光６を２次元的に走査する機能を有している。レーザ装置５は図示していないコンベア８上の架台に設置されている。
【００３９】
レーザ装置５はガルバノシステムを内蔵し、レーザマーカとして市販されているレーザ装置でも良く、専用の装置を開発するのに比べ、設備に要する費用も時間も最低限で済むメリットがある。実験では40WCO2レーザで1000mm/秒以上の加工速度が可能であった。
【００４０】
昜開封容器１が所定の位置に来ると、図示していないセンサーで探知し、レーザ光６を照射し切れ込みを入れる。このように構成すると蓋材３に切れ込みを入れた後、ヒートシールするのに比べ、蓋体３と容器本体２の貼り合せズレの影響がなくなる。レーザは非接触加工のため、昜開封容器１が変形したり、蓋体３が破れたりすることがない。ヒートシールされているフランジ２ａの上側に位置する容器開口部周辺の蓋体３を加工するので、レーザが蓋体３を貫通して、フランジ２ａに抜けても機密性など機能的な影響もないので、切り込み工程での不良が発生しない。
【００４１】
なお、上記実施の形態においては、蓋体３の裏面側にヒートシール層を形成して蓋体３とフランジ２ａとヒートシールにて接合させる構成としたが、これに限らず、蓋体３とフランジ２ａとを接合させ得る構成であればどのような手段によって接合させてもよい。
【００４２】
上記実施の形態は本発明の例示であり、本発明がこの実施の形態のみに限定されることを意味するものではないことは、いうまでもない。
【産業上の利用可能性】
【００４３】
蓋体面積の小さな容器では多数個まとめて加工することもできる。
【符号の説明】
【００４４】
１    昜開封容器
２    容器本体
３    蓋体
４    ミシン目
５    レーザ装置
６    レーザ光
７    ガイド
８    コンベア
【図１】
2013086843.tif 000003
【図２】
2013086843.tif 000004
【図３】
2013086843.tif 000005
【図４】
2013086843.tif 000006
【図５】
2013086843.tif 000007
【図６】
2013086843.tif 000008
【図７】
2013086843.tif 000009
【図８】
2013086843.tif 000010
【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
開口部周辺にフランジが形成された容器本体と裏面に接合層を備えた蓋体とを有し、該蓋体の前記接合層を前記フランジに対向させて接合させてなる昜開封性容器であって、
前記蓋体の一部は前記フランジの外側に伸長されて開封用の摘み片を形成しており、
前記蓋体表面には切り込みが形成されて、
該切り込みは、前記摘み片の両側に一対設けられ、
前記摘み片の両側に設けられた前記切り込みのうち一方は、前記フランジに接合された部分に設けられた前記切り込みに連続し、前記フランジに接合された部分に設けられた前記切り込みは、前記フランジの外縁と内縁との間を通って前記フランジの上側に位置する前記容器開口部周辺を略一周し、前記摘み片に設けられた前記切り込みのうち他方に連続するように形成され、
前記摘み片を持って引きはがし力を作用させたとき、前記摘み片の両側に設けられた前記切り込みから前記蓋体が引きはがされると共に、前記フランジに接合された前記蓋体の前記切り込みよりも内側の部分が開口されると共に、前記フランジに接合された前記蓋体の前記切り込みよりも外側の部分は、前記フランジの上に残留するように形成されたことを特徴とする易開封容器。
【請求項２】
前記蓋体の前記容器開口部周辺における切り込みの位置は前記容器開口部から１ｍｍ〜６ｍｍ外周側に寄った位置であることを特徴とする請求項１に記載の易開封容器。
【請求項３】
前記切り込みの前記摘み片から前記容器開口部周辺へのつなぎ部はＲ２ｍｍ以上の曲率を有することを特徴とする請求項１又は２に記載の易開封容器。
【請求項４】
前記蓋体の、開封したのちに前記容器本体の前記フランジ上に残る部分には、前記蓋体の製造又は前記容器本体の内部に収容されて販売される製品の販売を管理するために必要な情報を書き入れておくことを特徴とする請求項１乃至３のいずれか１項に記載の易開封容器。
【請求項５】
請求項１乃至４の何れか１項に記載の易開封容器の製造方法であって、
蓋体表面に設けられた前記切り込みはレーザ加工により形成されることを特徴とする易開封容器の製造方法。
【請求項６】
前記切り込みはＣＯ２パルスレーザによる加工によって形成されたミシン目であることを特徴とする請求項５に記載の易開封容器の製造方法。
【請求項７】
前記切り込みは容器本体と前記蓋体をヒートシールした後レーザ加工により形成されることを特徴とする請求項５又は６に記載の易開封容器の製造方法。
【手続補正２】
【補正対象書類名】明細書
【補正対象項目名】００１３
【補正方法】変更
【補正の内容】
【００１３】
かかる課題を達成するために、請求項１に記載の発明は、開口部周辺にフランジが形成された容器本体と裏面に接合層を備えた蓋体とを有し、該蓋体の前記接合層を前記フランジに対向させて接合させてなる昜開封性容器であって、前記蓋体の一部は前記フランジの外側に伸長されて開封用の摘み片を形成しており、前記蓋体表面には切り込みが形成されて、該切り込みは、前記摘み片の両側に一対設けられ、前記摘み片の両側に設けられた前記切り込みのうち一方は、前記フランジに接合された部分に設けられた前記切り込みに連続し、前記フランジに接合された部分に設けられた前記切り込みは、前記フランジの外縁と内縁との間を通って前記フランジの上側に位置する前記容器開口部周辺を略一周し、前記摘み片に設けられた前記切り込みのうち他方に連続するように形成され、前記摘み片を持って引きはがし力を作用させたとき、前記摘み片の両側に設けられた前記切り込みから前記蓋体が引きはがされると共に、前記フランジに接合された前記蓋体の前記切り込みよりも内側の部分が開口されると共に、前記フランジに接合された前記蓋体の前記切り込みよりも外側の部分は、前記フランジの上に残留するように形成されたことを特徴とする。